(57)【要約】【課題】表皮材を紐材で座板に取り付けている椅子において、座を跳ね上げ式としてその下面が人目に触れる場合であっても、美感の悪化を防止する。【解決手段】座板６の下面に下向き開口の環状溝６３が形成されており、表皮材８の周縁とこれに取り付けた紐材６６とは環状溝６３に嵌まっている。環状溝６３には爪６８が形成されており、紐材６６の露出部が爪６８に引っ掛かって抜け不能に保持されている。環状溝６３には軟質材から成るチューブ６９が嵌め込まれている。このため、表皮材８の縁や紐材６６が隠れて人目に触れないと共に、環状溝６３の存在自体も視認し難くなっている。その結果、座２が跳ね上げ式であっても美感の悪化はない。【選択図】図６
2014097179.tif 000002
【特許請求の範囲】
【請求項１】
体圧が掛かる荷重受け板とその表面に配置したクッション材とこのクッション材を覆う表皮材とを有しており、前記クッション材の周縁にはループ状の紐材を取り付け、前記紐材を前記荷重受け板の裏面に設けた係止部に係止して成る構成であって、
前記体圧支持体の裏面に、前記表皮材の外周縁と紐材とを覆う細長い縁部材が装着されている、
椅子の体圧支持体。
【請求項２】
前記係止部は環状溝になっており、前記環状溝に前記紐材を抜け不能に保持する係止爪が飛び飛びで形成されており、前記縁部材を前記環状溝に嵌め込んでいる、
請求項１に記載した椅子の体圧支持体。
【請求項３】
前記縁部材は弾性素材から成る中空のチューブ又は棒材である、
請求項２に記載した体圧支持体。
【請求項４】
前後に嵌合可能な脚装置と、この脚装置で支持された座及び背もたれとを備えており、前記座を跳ね上げることで前後にネスティング可能になっている構成であって、前記座が請求項１〜３のうちのいずれかの構成である、
跳ね上げ式座を有する椅子。
【発明の詳細な説明】
【技術分野】
【０００１】
本願発明は、椅子及びこれを構成する座や背もたれのような体圧支持体に関するものである。ここに体圧支持体としては、座や背もたれの他に、ヘッドレストやシェルダーレスト、肘当てなども含まれる。
【背景技術】
【０００２】
例えば椅子の座を例にとすると、樹脂製等の座板の上面にクッション材を張った構成になっていることが多い。同様に、背もたれにおいても、樹脂製の背板の前面にクッション材を張った構成になっていることが多い。いずれにしても、クッション材はクロスやレザー等の表皮材で覆われており、表皮材の周縁は座板や背板の裏面（座板の場合は下面、背板の場合は背面）に固定されている。
【０００３】
表皮材を座板や背板に取り付ける手段としては、タッカーで固定する方法と紐材で固定する方法とがあり、紐材による固定方法は作業が簡単であると共に、廃棄後の処理も容易である利点がある。紐材は表皮材の周縁に形成した筒部に挿入されているが、紐材を飛び飛びに露出させて、この露出部を座板又は背板の裏面に形成した係合部に係止していることが多い。
【０００４】
他方、紐材やタッカーを使用しない処理方法もあり、その例として特許文献１には、車両用シートにおいて、表皮材の周縁部をシートフレームに形成した溝に嵌め入れて、それから溝に嵌合体を嵌め込むことにより、表皮材の縁部を溝に押え固定することが開示されている。
【先行技術文献】
【特許文献】
【０００５】
【特許文献１】実開昭５８−１５６４５８号のマイクロフィルム
【発明の概要】
【発明が解決しようとする課題】
【０００６】
特許文献１のものは表皮材の縁を美麗に始末できると云えるが、何らかの理由で嵌合体が外れると表皮材の固定が解除されて表皮材が外れてしまう問題があり、従って、現実的には、表皮材はクッション材に接着しておかなければならないと云える。すると、製造の手間が嵩むのみならず、廃棄後の分別も厄介になる。
【０００７】
従って、紐材を利用した取り付けが好ましいが、例えば、座を跳ね上げてきるネスティング式の椅子の場合、座を跳ね上げるとその裏面が露出して紐の露出等が人目に触れるため、美感を損なう可能性がある。この点については、表皮材の周縁の全体を広い面積のカバーで覆うことが考えられるが、これはコストが嵩むという別の問題が発生する。
【０００８】
本願発明は、このような現状を改善すべく成されたものである。
【課題を解決するための手段】
【０００９】
本願発明は、各請求項によって特定されている。このうち請求項１の発明は、体圧が掛かる荷重受け板とその表面に配置したクッション材とこのクッション材を覆う表皮材とを有しており、前記クッション材の周縁にはループ状の紐材を取り付け、前記紐材を前記荷重受け板の裏面に設けた係止部に係止して成る構成において、前記体圧支持体の裏面に、前記表皮材の外周縁と紐材とを覆う細長い縁部材が装着されている。
【００１０】
請求項２の発明は請求項１の発明を好適に具体化したもので、この発明では、前記係止部は環状溝になっており、前記環状溝に前記紐材を抜け不能に保持する係止爪が飛び飛びで形成されており、前記縁部材を前記環状溝に嵌め込んでいる。なお、環状溝とは荷重受け板の外周に沿って延びているという意味であり、完全なループである必要はない。
【００１１】
請求項２の発明の具体例として、請求項３では、前記縁部材は弾性素材から成る中空のチューブ又は棒材から成っている。
【００１２】
本願発明は椅子も含んでおり、この椅子は、請求項４に記載したように、前後に嵌合可能な脚装置と、この脚装置で支持された座及び背もたれとを備えており、前記座を跳ね上げることで前後にネスティング可能になっている。
【００１３】
なお、本願発明の「紐材」とは細長い形状で表皮材を取り付けるできるものを総称しており、材質に限定はない。従って、金属線材も含んでいる。結束手段は縛ることには限らず、金属製材や樹脂材料の場合はねじって止めることも可能である。また、材質に関係なく、ループに保持する手段としはて縛ったりねじったりすることに限らず、一端と他端とに引っ掛け部材を取り付けて、これらを係合させると云ったことも可能である。結束具を使用してもよい。
【発明の効果】
【００１４】
本願発明によると、紐材を使用して表皮材を簡単に取り付けできると共に、表皮材の周縁や紐材の露出部、或いは紐材の係止部を縁部材で覆って美感を向上できる。従って、請求項４のような跳ね上げ式座に適用すると、特に真価が発揮される。
【００１５】
紐材の固定手段は様々に具体化できるが、請求項２のように環状溝に表皮材の周縁と紐材とを嵌め込む構成を採用すると、簡単には外れない状態にしっかりと取り付けることができて好適であり、しかも、環状溝は縁部材で塞がれているため、美感にも優れている。また、縁部材は弾性に抗して環状溝に押し込むだけで取り付けできるため、縁部材の取り付けも迅速かつ容易に行えて好適である。更に、縁部材が表皮材及び紐材の抜け防止機能も発揮し得るため、表皮材の取り付け強度の向上にも貢献できる。
【００１６】
請求項３のように縁部材としてチューブや棒材を採用すると、各種の用途に市販されているものをそのまま流用できるため、コスト面において有利である。
【図面の簡単な説明】
【００１７】
【図１】実施形態に係る椅子の斜視図であり、（Ａ）は座を倒した状態の全体斜視図、（Ｂ）は座を跳ね上げた状態での全体斜視図、（Ｃ）は背もたれの部分的な分離斜視図である。
【図２】座を分離した状態の斜視図、（Ｂ）は座受け部の斜視図である。
【図３】（Ａ）は座とスライダーとの関係を示す分離斜視図、（Ｂ）を座の後部を下かから部分斜視図、（Ｃ）は座の後部を上から見た部分斜視図である。
【図４】座の底面図である。
【図５】（Ａ）は座板の底面図、（Ｂ）は表皮材の部分図である。
【図６】（Ａ）は図５のＡ−Ａ視断面図、（Ｂ）は図５のＢ−Ｂ視断面図である。
【図７】（Ａ）はカバーを倒す前の斜視図、（Ｂ）はカバーを倒した状態での斜視図である。
【図８】座部を跳ね上げた椅子の斜視図である。
【発明を実施するための形態】
【００１８】
(1).椅子の概略
次に、本願発明の実施形態を図面に基づいて説明する。まず、椅子の概略を図１，２に基づいて説明する。なお、以下の説明で方向を特定するために「前後」「左右」の文言を使用しているが、この前後・左右は、椅子に普通に腰掛けた人から見た状態を基準にしている。正面視方向は、着座者と対向した方向である。
【００１９】
図１のとおり、椅子は、大きな要素として脚装置１と座２と背もたれ３とを備えており、座２は、跳ね上げ回動式の可動式ベース４に取り付けられている。従って、座２と可動式ベース４とを主要要素として座部５が構成されている。図１（Ａ）に示すように、座２は、樹脂製の座板（座インナーシェル）６とその上面に張った座クッション材７とを備えており、座クッション材７はクロス等の表皮材８で覆われている。図２に示すように、可動式ベース４の上面には多数の補強リブ９を設けている。
【００２０】
脚装置１は鋼管やアルミ管等の金属管から成っており、左右の前足１０と左右の後足１１とを有する４本足方式になっている。前後各足にはキャスタ１２を取り付けている。前足１０の上端には、水平に対してやや前傾した姿勢で後ろ向きに延びる上サイド部１４が曲げ形成されており、上サイド部１４の後端を後足１１の上端寄り部位に突き合わせて溶接で固定している。
【００２１】
左右の上サイド部１４の前端は左右横長の横杆１５で連結されている。図１（Ｂ）のとおり、可動式ベース４の下面には、横杆１５の左右中間部が嵌まる凹所４ａを形成している。後足１１の上端は自由端になっており、上端に軸心を左右水平とした上支軸１７が溶接で固定されており、この上支軸１７に背もたれ３が後傾動可能に連結されている。後足１１を上向きに延出して支持フレーム１９が構成されている。
【００２２】
左右の後足１１の左右間隔は左右前足１０の左右間隔よりも大きくなっており、このため、座部５を跳ね上げた状態で前後の椅子の脚同士を嵌め合わせる（ネスティングする）ことが可能になっている。図２に示すように、可動式ベース４は、平面視四角形で浅い箱状の本体部２１と、本体部２１の後部から外側に広がりつつ上向きに突出した角状アーム２２と有している。
【００２３】
角状アーム２２の上端には左右外向きに突出したボス部（軸受部）２３を一体に設けており、このボス部２３が支持フレーム１９の上下中途部に回動可能に連結されている。これにより、座部５は図１（Ｂ）のように跳ね上げられた（折り畳まれた）状態になる。
【００２４】
図１（Ｃ）に示すように、背もたれ３は、前後に大きく開口した背もたれ本体（メインフレーム）２９と、背もたれ本体２９にその開口部を覆うように取り付けられたサポート体３０とを有している。サポート体３０の前面には背クッション材３１を張っている。背もたれ本体２９のうち下寄りの部位には左右外側に張り出した外向き張り出し部２９ａを形成しており、この外向き張り出し部２９ａの外端に、上支軸１７に嵌まる軸受け部３２を形成している。
【００２５】
背もたれ３が後傾すると、座２は前進する。従って、座２は可動式ベース４に前後スライド自在に取り付けられている。具体的には、図２に示すように、可動式ベース４に左右一対のスライダー３６を前後動自在に装着し、左右スライダー３６に座板６が前後相対動不能に装着されている。従って、座２はスライダー３６と一緒に相対動する。スライダー３６の前進動はばね（図示せず）で弾性的に支持される。本実施形態では、座板６が体圧支持体の一例になっている。
【００２６】
更に、左右の支持フレーム１９の後端部には金属板製の左右横長の支持ステー４０がビス４１で固定されており、支持ステー４０の左右両端部に上向きの受動アーム４２を曲げ形成している一方、背もたれ本体２９の下端部には、支持ステー４０の受動アーム４２に上から嵌まるポケット状の押動部（ホルダー部）４３を設けている。受動アーム４２の上端には樹脂製の冠部材４４を装着しており、冠部材４４が背もたれ本体２９の押動部４３に嵌合している。
【００２７】
本実施形態の椅子は、着座者の凭れ掛かりによって背もたれ３がロッキングすると、支持ステー４０を介してスライダー３６が前進し、これにより、座２は背もたれ３のロッキングに連動して（シンクロして）前進する。支持ステー４０のうちスライダー３６の固定部は上向き膨出部４０ａになっており、上向き膨出部４０ａに凹み形成した段部４０ｂにスライダー３６の突片３６ｃをビスで固定している。
【００２８】
図３に示すように、座板６の下面には、スライダー３６を左右から抱持する前後一対ずつの下向き規制体５９，６０を設けており、前部の下向き規制体５９には、スライダー３６の前端面に当たる規制部５９ａを設けている。更に、座板６には、スライダー３６の後端に当接するストッパー爪６０を設けている。
【００２９】
ストッパー爪６０は、後端を自由端とした後ろ向きの舌片６１の後端に形成しており、かつ、ストッパー爪６０の後面は後ろに行くる従って高くなる傾斜面６０ａになっている。このため、座板６をスライダー３６に重ねて後ろにずらすと、ストッパー爪６０はいったん上に逃げ移動してから戻り変形して、スライダー３６のうち突片３６ｃの左右外側に位置した後端面に当接し、これにより、座板６は前後左右にずれ不能に保持される。
【００３０】
更に、座板６の下面には、支持ステー４０の前端縁に手前から嵌合する側面視鉤型のリア係合爪６２を設けている。リア係合爪６２は左右中間部とその左右外側との３カ所に設けており、リア係合爪６２の存在によって座板６の後部は支持ステー４０から上向き動不能に保持されているため、ストッパー爪６０がスライダー３６に係合した状態が保持されている。
【００３１】
(2).表皮材の取り付け構造・紐の結び目の美的処理
次に、図５〜８を参照して座２における表皮材８の取り付け構造を説明する。図５（Ｂ）に一部だけを示すように、表皮材８の外周縁には筒部６５が縫着等で形成されており、筒部６５には紐６６が通されている。紐６６は座板６の下面に形成した環状溝６３に嵌め込でおり、一端と他端とは座板６の後端部の箇所で結んでいる。結び目を符号６６ａで示している。環状溝６３は内外の壁を下向き突設することで構成しており、座板６の後部において分断されている。
【００３２】
表皮材８の筒部６５は適当な間隔で飛び飛びに切除しており、従って、紐６６は切除部６７の箇所で露出している。他方、図６（Ａ）のとおり、座板６における環状溝６３の内側面に紐の露出部が引っ掛かる爪６８を形成している。このように紐６６の露出部を爪６８に掛けた状態で紐６６の両端を引っ張って結束することにより、座クッション材７及び表皮材８を座板６に取り付けている。なお、先に紐６６の両端を結束してから、紐６６を環状溝６３に嵌め込んで爪６８に引っ掛けてもよい。
【００３３】
図１（Ｂ）から理解できるように、座板６は跳ね上げた状態でその外周部の下面が手前に露出し、座板６の環状溝６３が人目に触れる。そこで、図６のとおり、環状溝６３に、縁部材（閉鎖具）の一例として、軟質材からなるチューブ６９を嵌め込んでいる。これにより、環状溝６３や爪６８が露出することによる外観の悪化を防止できる。また、表皮材８の縁が環状溝６３の外面に押えられるため、表皮材８の縁がシャープなラインとなって現れることになり、この面からも美感に優れたものになる。
【００３４】
なお、チューブ６９は座板６又は表皮材８と同じ色にしてもよいし、座板６及び表皮材８とは異なる色にしてもよい。環状溝６３を塞ぐ縁部材としては、チャーブ６９８に代えて断面円形又は断面角形の棒状弾性や、断面Ｕ型又はコの字型のエッジ材なども使用できる。チューブ等の縁部材は、複数本に分断して嵌め込んでもよい。
【００３５】
環状溝６３は座板６の後部において途切れており、紐６６の結び目６６ａは座板６の後部の左右中間部に位置している。そこで、座板６に紐６６の結び目６６ａを隠すカバー片６４を一体成形し、図７のようにカバー片６４を倒すことで紐６６の端部を隠している。カバー片６４は環状溝６３の端と近接しているので、紐６６が外部に露出することはない。
【００３６】
カバー片６４は図７（Ａ）のように起立姿勢に成形されており、付け根を薄いヒンジ部６４ａと成すことにより、倒し回動を許容している。また、座板６にカバー片６４が嵌まる凹所７０を形成しており、カバー片６４を凹所７０に嵌め込んだ状態で、カバー片６４の外面は座板６の下面と同一面を成すように設定している。
【００３７】
また、カバー片６４には後ろ向きの係合突起７１を形成する一方、座板６には、係合突起７１が強制嵌合される係合穴７２を形成している。従って、カバー片６４の付け根と凹所７０の後端との間には上下に開口した透かし穴７３になっている。これは、カバー片６４を成形するための抜き違い穴である。
【００３８】
カバー片６４は座板６とは別体に構成してこれを強制嵌合等で座板６に嵌め込むことも可能であるが、実施形態のように座板６に一体成形すると、紛失等の問題を解消できると共に、一々姿勢合わせする必要はないため、閉塞作業もワンタッチで行える。
【００３９】
紐材を止める係止部は、座板の下面に飛び飛びで突設した爪状突起であってもよい。この場合は、爪状突起の群と紐材の露出部と表皮材の周縁とを縁部材で覆ったらよい。その場合は、縁部材は爪状突起に強制嵌合してもよいし、別の係止手段を設けてもよい。
【産業上の利用可能性】
【００４０】
本願発明は実際に椅子に適用できる。従って、産業上利用できる。
【符号の説明】
【００４１】
１  脚装置
２  座
６  体圧支持体の一例としての座板
８  座の表皮材
６３  環状溝
６５  筒部
６６  紐材
６６ａ  結び目
６４  カバー片
６８  爪
７０  凹所
７１  係合突起
７２  係合穴
【図１】
2014097179.tif 000003
【図２】
2014097179.tif 000004
【図３】
2014097179.tif 000005
【図４】
2014097179.tif 000006
【図５】
2014097179.tif 000007
【図６】
2014097179.tif 000008
【図７】
2014097179.tif 000009
【図８】
2014097179.tif 000010